(57)【特許請求の範囲】
【請求項１】
分散基地局のリモートラジオユニットRRUにおけるGPS受信モジュールによりGPS信号を受信し、前記GPS信号がクロック信号と位置情報を含むことと、
前記RRUは、受信した前記クロック信号と前記位置情報を前記分散基地局のビルディングベースバンドユニットBBUに伝送することと、
前記BBUは受信した前記クロック信号に基づいて、前記分散基地局の全部の装置に提供して使用する最適なクロックを算出して、受信した前記位置情報を保存することと、
前記BBUは前記位置情報に基づいて装置位置情報データベースを作成し、前記装置位置情報データベースは前記位置情報に基づいて前記分散基地局の全部の装置の位置情報を検索することに用いられることと、
前記BBUは、RRUがフィードバックした前記クロック情報とRRUが使用するGPS受信モジュールの規格に基づいて、GPS検索データベースを作成し、前記GPS検索データベースはRRUが使用するGPS受信モジュールの規格とRRUがフィードバックしたクロック情報に基づいてGPS受信モジュールの性能を判断することに用いられることと、を含む全地球測位システムGPS信号を取得する方法。
【請求項２】
前記BBUが受信した前記クロック信号に基づいて、前記分散基地局の全部の装置に提供して使用する最適なクロックを算出することは、
前記BBUは受信した前記クロック信号に対して集中の分析計算を行い、干渉が大きいクロック信号を取り除き又は最適化し、前記分散基地局の全部の装置に提供して使用する最適なクロックを生成することを含む請求項1に記載の方法。
【請求項３】
前記RRUは前記BBUがフィードバックした前記最適なクロックを受信し、報告された前記クロック信号と前記最適なクロックに対して差異統計を行って、前記BBUに分析データを報告することと、
前記RRUは、前記クロック信号と前記最適なクロックとの差異が予定閾値以上であることを算出する場合、ネットワーク管理システムに警告情報を報告することと、を更に含む請求項1に記載の方法。
【請求項４】
受信した前記位置情報を保存した後、前記方法は、
前記BBUは、前記位置情報をネットワーク管理システムにアップロードし、ネットワーク管理システムにより前記位置情報を調べて、インタフェースにより前記位置情報を出力することを更に含む請求項1に記載の方法。
【請求項５】
分散基地局であって、リモートラジオユニットRRUとビルディングベースバンドユニットBBUを含み、
前記RRUは、前記RRUに設定される全地球測位システムGPS受信モジュールにより、クロック信号と位置情報とを含むGPS信号を受信して、受信した前記クロック信号と前記位置情報を前記BBUに伝送するように設定され、
前記BBUは、
受信した前記クロック信号に基づいて、前記分散基地局の全部の装置に提供して使用する最適なクロックを算出して、受信した前記位置情報を保存し、前記位置情報に基づいて装置位置情報データベースを作成し、前記装置位置情報データベースは前記位置情報に基づいて該基地局の全部の装置の位置情報を検索することに用いられ、
RRUがフィードバックした前記クロック情報とRRUが使用するGPS受信モジュールの規格に基づいて、GPS検索データベースを作成し、前記GPS検索データベースはRRUが使用するGPS受信モジュールの規格とRRUがフィードバックしたクロック情報に基づいてGPS受信モジュールの性能を判断することに用いられるように設定される分散基地局。
【請求項６】
前記BBUは、受信した前記クロック信号に対して集中の分析計算を行い、干渉が大きいクロック信号を取り除き又は最適化し、前記分散基地局の全部の装置に提供して使用する最適なクロックを生成するように設定される請求項5に記載の分散基地局。
【請求項７】
前記RRUは更に、前記BBUがフィードバックした前記最適なクロックを受信し、報告された前記クロック信号と前記最適なクロックに対して差異統計を行って前記BBUに分析データを報告し、前記クロック信号と前記最適なクロックとの差異が予定閾値以上であることを算出する場合、ネットワーク管理システムに警告情報を報告するように設定される請求項5に記載の分散基地局。
【請求項８】
前記BBUは更に、受信した前記位置情報を保存した後、前記位置情報をネットワーク管理システムにアップロードし、ネットワーク管理システムにより前記位置情報を調べて、インタフェースにより前記位置情報を出力するように設定される請求項5に記載の分散基地局。
【請求項９】
プログラム指令を含み、前記プログラム指令が分散基地局により実行される場合、前記分散基地局は請求項1〜4のいずれか一項に記載の方法を実行できるコンピュータプログラム。
【請求項１０】
請求項9に記載のコンピュータプログラムを記憶するコンピュータ読み取り可能な記憶媒体。
【発明の詳細な説明】
【技術分野】
【０００１】
本発明は移動通信分野に関し、特にGPS信号を取得する方法及び分散基地局に関する。
【背景技術】
【０００２】
従来の基地局装置は全地球測位システム（Global Positioning System、GPSと略称される）信号を取得する際に、独立にGPSアンテナを架設して同軸フィーダー線の方式により分散基地局のビルディングベースバンドユニット（Building Base band Unit、BBUと略称される）に伝送し、BBUが統合的な処理を行ってからフルネットワーク同期等の適用を行う。このような方式によるGPS信号の取得では、雷防護能力が悪く、干渉を受けやすく、リモートラジオユニット（Radio Remote Unit、RRUと略称される）位置の位置決め不能、アンテナの取付位置が遠すぎてはいけない等の問題が存在する。
【０００３】
雷防護の面では、同軸フィーダー線等の金属材料のケーブルでGPS信号を伝送し、且つGPSアンテナが屋外に取付けられる必要があるため、BBUは一般的に室内又はキャビネット内部に位置する。GPSアンテナとBBUは異なる雷保護領域にあり、2つの異なる雷保護領域にある装置を金属ケーブルで接続する場合、雷防護部品を増設する必要があるため、BBU側に1つのGPS雷防止器を増設する必要がある。金属材料の同軸フィーダー線の使用及び増設したGPS雷防止器により、システムの確立とメンテナンスのコストは増加し、追加した部品は更に故障点が増加し、メンテナンスの作業量が増大する。
【０００４】
干渉の面では、従来方式で、1つの基地局には1つのGPSアンテナしかないため、自然環境と電磁環境を含む周囲環境の干渉を受けやすい。例えば、夏の木陰の遮り、周囲の高電力電気デバイスの起動又は経過により、GPS信号の受信は不安定になり、ひいては衛星捜索不能になる。
【０００５】
RRU測位の面では、従来の方式で、GPSアンテナの取付位置はBBUに近いが、RRUの位置に直接の関係がないため、特にRRUがBBUから離れる場合（例えば長距離鎖状ネットワーク構造）、RRUの正確な位置情報は取得し難く、メンテナンス人員の作業に不便をもたらし、人件と時間のコストも増加する。
【０００６】
GPSアンテナの取付位置の面では、フィーダー線ロスの影響により、GPSアンテナの取付位置は制限され、通常、BBUから数十メートル以内の範囲内のみに取付けられ、且つ専用の取付部品と空間資源を必要とし、設計と工事に不便をもたらす。
【発明の概要】
【発明が解決しようとする課題】
【０００７】
関連技術においてGPS信号の取得方式に雷防護能力が悪く、干渉を受けやすく、RRUの位置決め不能、アンテナの取付位置が遠すぎてはいけない等の問題が存在することに鑑み、本発明の実施例はGPS信号を取得する方法及びシステムを提供する。
【課題を解決するための手段】
【０００８】
本発明の実施例はGPS信号を取得する方法を提供し、
分散基地局のリモートラジオユニットRRUにおけるGPS受信モジュールによりGPS信号を受信し、GPS信号がクロック信号と位置情報を含むことと、
RRUは受信したクロック信号と位置情報を分散基地局のビルディングベースバンドユニットBBUに伝送することと、
BBUは受信したクロック信号に基づいて、分散基地局の全部の装置に提供して使用する最適なクロックを算出して、受信した位置情報を保存することと、を含む。
【０００９】
好ましくは、BBUが、受信したクロック信号に基づいて、分散基地局の全部の装置に提供して使用する最適なクロックを算出することは、
BBUは受信したクロック信号に対して集中の分析計算を行い、干渉が大きいクロック信号を取り除き又は最適化し、分散基地局の全部の装置に提供して使用する最適なクロックを生成することを含む。
【００１０】
好ましくは、上記方法は、
RRUはBBUがフィードバックした最適なクロックを受信し、報告されたクロック信号と最適なクロックに対して差異統計を行ってBBUに分析データを報告することと、
RRUはクロック信号と最適なクロックとの差異が予定閾値以上であることを算出する場合、ネットワーク管理システムに警告情報を報告することと、を更に含む。
【００１１】
好ましくは、受信した位置情報を保存した後、前記方法は、
BBUは位置情報をネットワーク管理システムにアップロードし、ネットワーク管理システムにより位置情報を調べて、インタフェースにより位置情報を出力することを更に含む。
【００１２】
好ましくは、上記方法は、
BBUは位置情報に基づいて装置位置情報データベースを作成し、装置位置情報データベースは位置情報に基づいて該基地局の全部の装置の位置情報を検索することに用いられることと、
BBUは各RRUがフィードバックしたクロック情報とRRUが使用するGPS受信モジュールの規格に基づいて、GPS検索データベースを作成し、GPS検索データベースはRRUが使用するGPS受信モジュールの規格とRRUがフィードバックしたクロック情報に基づいて各種のGPS受信モジュールの性能を判断することに用いられることと、を更に含む。
【００１３】
本発明の実施例はGPS信号を取得する分散基地局を更に提供し、
リモートラジオユニットRRUとビルディングベースバンドユニットBBUを含み、
前記RRUは、前記RRUに設定される全地球測位システムGPS受信モジュールにより、クロック信号と位置情報とを含むGPS信号を受信して、受信した前記クロック信号と前記位置情報を前記BBUに伝送するように設定され、
前記BBUは、受信した前記クロック信号に基づいて、前記分散基地局の全部の装置に提供して使用する最適なクロックを算出して、受信した前記位置情報を保存するように設定される。
【００１４】
好ましくは、上記BBUは、受信したクロック信号に対して集中の分析計算を行い、干渉が大きいクロック信号を取り除き又は最適化し、分散基地局の全部の装置に提供して使用する最適なクロックを生成するように設定される。
【００１５】
好ましくは、上記RRUは更に、BBUがフィードバックした最適なクロックを受信し、報告されたクロック信号と最適なクロックに対して差異統計を行ってBBUに分析データを報告し、クロック信号と最適なクロックとの差異が予定閾値以上であることを算出する場合、ネットワーク管理システムに警告情報を報告するように設定される。
【００１６】
好ましくは、上記BBUは更に、受信した位置情報を保存した後、位置情報をネットワーク管理システムにアップロードし、ネットワーク管理システムにより位置情報を調べて、インタフェースにより位置情報を出力するように設定される。
【００１７】
好ましくは、上記BBUは更に、
位置情報に基づいて装置位置情報データベースを作成し、装置位置情報データベースは位置情報に基づいて該基地局の全部の装置の位置情報を検索することに用いられ、
RRUがフィードバックしたクロック情報とRRUが使用するGPS受信モジュールの規格に基づいて、GPS検索データベースを作成し、GPS検索データベースは各RRUが使用するGPS受信モジュールの規格とRRUがフィードバックしたクロック情報に基づいてGPS受信モジュールの性能を判断することに用いられるように設定される。
【００１８】
本発明の実施例はコンピュータプログラムを更に提供し、プログラム指令を含み、該プログラム指令が分散基地局により実行される場合、該分散基地局は前記方法を実行できる。
【００１９】
本発明の実施例は前記コンピュータプログラムを記憶するコンピュータ読み取り可能な記憶媒体を更に提供する。
【発明の効果】
【００２０】
本発明の実施例の技術的手段により、関連技術においてGPS信号の取得方式に存在する雷防護能力が悪く、干渉を受けやすく、RRUの位置決め不能、アンテナの取付位置が遠すぎてはいけない等の問題を解決し、GPS信号を便利に取得することができ、取付工程を簡単化し、マテリアルのコストを低減し、存在する可能性があるシステムの故障点の数量を減少させる。
【００２１】
上記説明は本発明の技術的手段の概要であり、本発明の技術的手段をより明確に理解して、明細書の内容に依って実施でき、そして本発明の上記内容と他の目的、特徴及び利点をより簡明にするために、以下、本発明の具体的な実施形態を例示する。
【００２２】
下記好ましい実施形態の詳しい説明を読むことにより、当業者にとって、他の各種の利点と長所は明確になる。図面はただ好ましい実施形態を示すためのものであり、本発明を制限しない。そして、図面全体において、同一の参照符号で同一の部品を示す。
【図面の簡単な説明】
【００２３】
【図１】図1は本発明の実施例によるGPS信号を取得する方法のフローチャートである。
【図２】図2は本発明の実施例による基地局がGPS信号を取得する方法の詳しい処理の模式図である。
【図３】図3は本発明の実施例による分散基地局の構造模式図である。
【発明を実施するための形態】
【００２４】
以下、図面を参照しながら、本発明が例示した実施例を詳しく説明する。図面には本発明の例示した実施例が表示されるが、理解できるように、各形式で本発明を実現することができ、本発明はここで説明した実施例に制限されない。逆に、これらの実施例の提示は本発明をより明確に理解し、本発明の範囲を完全に当業者に伝達するためのものである。
【００２５】
関連技術においてGPS信号の取得方式に存在する雷防護能力が悪く、干渉を受けやすく、RRUの位置決め不能、アンテナの取付位置が遠すぎてはいけない等の問題を解決するために、本発明の実施例は分散基地局のリモートラジオユニットを利用してGPS信号を取得する方法及び分散基地局を提供し、RRUに取り付けられたGPS受信モジュールにより、GPS衛星信号を受信し、複数のRRUが受信したGPSクロック信号は光ファイバーを介してBBUに伝送され、BBUはマルチ入力したGPSクロックに対して集中の分析計算を行い、アルゴリズムにより干渉が大きい信号を取り除き又は最適化し、該基地局が使用するクロック信号を生成し、BBUとRRUに提供して使用し、RRUが報告したクロックデータとBBUがRRUにフィードバックしたクロックデータについては、差異を統計して分析データを報告することができ、両者の差異が一定の閾値を超える場合、警告をネットワーク管理に報告することができる。複数のRRUの位置情報は光ファイバーを介してBBUに伝送され、それから基地局の伝送によりネットワーク管理システムにアップロードされ、ネットワーク管理システムはいつでもRRU位置情報を調べることができ、報告表方式の集中出力をサポートする。以下、図面及び実施例を参照しながら、本発明を更に詳しく説明する。なお、ここで記載の具体的な実施例は本発明を解釈するためのものであり、本発明を制限しない。衝突しない場合に、本発明の実施例及び実施例における特徴を互いに任意に組み合わせることができる。
【００２６】
方法の実施例
本発明の実施例により、GPS信号を取得する方法を提供し、図1は本発明の実施例によるGPS信号を取得する方法のフローチャートであり、図1に示すように、本発明の実施例によるGPS信号を取得する方法は、下記ステップ101〜103の処理を含む。
【００２７】
ステップ101、分散基地局のリモートラジオユニットRRUにおけるGPS受信モジュールによりGPS信号を受信し、GPS信号がクロック信号と位置情報を含み、実際の適用において、該GPS受信モジュールはRRU内部に集積されたものであってもよく、外部のものであってもよく、需要に応じて組み立てることができる。
【００２８】
ステップ102、RRUは受信したクロック信号と位置情報を分散基地局のビルディングベースバンドユニットBBUに伝送する。
【００２９】
ステップ103、BBUは受信したクロック信号に基づいて、該基地局の全部の装置に提供して使用する最適なクロックを算出して、受信した位置情報を保存する。
【００３０】
ステップ103において、BBUが受信したクロック信号に基づいて、該基地局の全部の装置に提供して使用する最適なクロックを算出することは、BBUは受信したクロック信号に対して集中の分析計算を行い、干渉が閾値よりも大きいクロック信号を取り除き又は最適化し、該基地局の全部の装置に提供して使用する最適なクロックを生成することを含む。
【００３１】
当業者が理解できるように、デジタルクロック同期回路、原子時計、マルチクロック照合、ローカル水晶発振器照合等の方式により、1つの最適なクロックを生成し、位相同期ループ等のデジタル回路を利用して、ばらつきがあるクロックと最適なクロックに対して同期校正を行うことができる。
【００３２】
その中、システムクロック同期精度の需要を満たすことができるものは、最適なクロックと称されることができる。システムには複数の精度需要を満たすクロック信号ソースがある場合、任意に1つをクロックソースとして選択してもよい。一定のアルゴリズム、例えば加重処理、中間値の取り等の方式により、システムの1つの「基準クロック」を形成し、それから伝送システムにより該クロック信号をシステムにおける各ネットワークエレメントに割り当てて使用し、又は各ネットワークエレメントのクロック校正に用いてもよい。要するに、どのように最適なクロックを生成するかは当業者が本分野の公知常識により容易に実現するものであり、本発明はこれを限定しない。
【００３３】
上記処理を行った後、RRUはBBUがフィードバックした最適なクロックを受信し、報告されたクロック信号と最適なクロックに対して差異統計を行ってBBUに分析データを報告し、RRUはクロック信号と最適なクロックとの差異が予定閾値以上であることを算出する場合、ネットワーク管理システムに警告情報を報告する。
【００３４】
受信した位置情報を保存した後、BBUは位置情報をネットワーク管理システムにアップロードし、ネットワーク管理システムにより位置情報を調べて、インタフェースにより位置情報を出力してもよい。
【００３５】
また、BBUは位置情報に基づいて装置位置情報データベースを作成してもよく、装置位置情報データベースは位置情報に基づいて該基地局の全部の装置の位置情報を検索することに用いられ、
BBUは各RRUがフィードバックしたクロック情報と各RRUが使用するGPS受信モジュールの規格に基づいて、GPS検索データベースを作成してもよく、GPS検索データベースは、各RRUが使用するGPS受信モジュールの規格と各RRUがフィードバックしたクロック情報に基づいて、各種のGPS受信モジュールの性能を判断することに用いられる。
【００３６】
以下、図面及び具体的な実施例を参照しながら、本発明の実施例の上記技術的手段を詳しく説明する。
【００３７】
図2は本発明の実施例による基地局がGPS信号を取得する方法の詳しい処理の模式図であり、図2に示すように、下記ステップ201〜204の処理を含む。
【００３８】
ステップ201、各RRUはGPS受信モジュールにより、それぞれ衛星からのクロックと位置情報を受信する。
【００３９】
ステップ202、各RRUはそれぞれ受信したクロック信号と位置情報を光ファイバーによりBBUに伝送する。
【００４０】
ステップ203、BBUは受信したn台のRRUからのクロック信号に対して統合的な照合を行い、特定のアルゴリズムにより最適なクロックを生成し、本基地局の全部の装置に提供して使用する。
【００４１】
好ましくは、異なるブランド、規格、ロットのGPS受信機の感度情報を取得して、フルネットワーク同期クロックとの偏差量を分析することにより、各種のGPS受信機の性能の優劣を判断する。
【００４２】
ステップ204、BBUは受信したn台のRRUからの位置情報を記憶し、ローカルメンテナンスソフトウェア及びバックグラウンドネットワーク管理により調べることができる。
【００４３】
好ましくは、上記位置情報はネットワーク管理の分析処理により、統計報告表を形成し、多種のディメンションを用いて検索することができる。ディメンションは、経度、緯度、高度、所在の行政地区を含み、ネットワーク管理のインタフェースにおける基地局分散地図にリアルタイムに表示することができる。
【００４４】
つまり、実際の適用において、RRUが報告したクロックデータとBBUがRRUにフィードバックしたクロックデータに対して、差異を統計して分析データを報告することができ、両者の差異が一定の閾値を超える場合、警告をネットワーク管理に報告することができる。複数のRRUの位置情報は光ファイバーを介してBBUに伝送され、それから基地局の伝送によりネットワーク管理システムにアップロードされ、ネットワーク管理システムはいつでもRRU位置情報を調べることができ、報告表方式の集中出力をサポートする。
【００４５】
本発明の実施例による技術的手段ではGPSクロックを取得する際に、マルチGPS信号により入力し、アルゴリズムにより基地局システムが最適なクロックを使用することを確保し、関連技術におけるシングルGPS信号だけによる入力の方式を捨て、システムクロックの安定性及び抗干渉性を効果的に向上させる。また、基地局位置情報を取得する際に、各RRUが独立の位置情報を提供する方式を用い、基地局システムがBBUの所在する位置だけを提供することができるが、RRU位置情報を提供することができない方法を捨てる。本発明の実施例による技術的手段は、存在する可能性がある干渉、遮り、部品不良等による不確定性を包容し、マルチ入力の最適なアルゴリズムによりシステムクロックが最適な状態にあることを確保する。そして、本発明の実施例による技術的手段におけるGPS信号伝送は主に光ファイバー伝送を用い、フィーダー線の方式を使用しなくなり、フィーダー線伝送の距離が短く、雷電等の電磁干渉を受けやすい問題を解決し、GPS信号雷防止器を使用しなくなり、マテリアルのコストを低減する。
【００４６】
製品の実施例
本発明の実施例により、分散基地局を提供し、図3は本発明の実施例による分散基地局の構造模式図であり、図3に示すように、本発明の実施例による分散基地局は、リモートラジオユニットRRU30及びビルディングベースバンドユニットBBU32を含み、以下、本発明の実施例による各モジュールを詳しく説明する。
【００４７】
RRU30は、前記RRU30に設定されるGPS受信モジュールにより、クロック信号と位置情報とを含むGPS信号を受信して、受信したクロック信号と位置情報を分散基地局のビルディングベースバンドユニットBBU32に伝送するように設定され、好ましくは、上記RRU30は更に、BBU32がフィードバックした最適なクロックを受信し、報告されたクロック信号と最適なクロックに対して差異統計を行ってBBU32に分析データを報告し、クロック信号と最適なクロックとの差異が予定閾値以上であることを算出する場合、ネットワーク管理システムに警告情報を報告するように設定される。
【００４８】
BBU32は、受信したクロック信号に基づいて、該基地局の全部の装置に提供して使用する最適なクロックを算出して、受信した位置情報を保存するように設定される。
【００４９】
上記BBU32は、
受信したクロック信号に対して集中の分析計算を行い、干渉が大きいクロック信号を取り除き又は最適化し、該基地局の全部の装置に提供して使用する最適なクロックを生成するように設定される。
【００５０】
受信した位置情報を保存した後、位置情報をネットワーク管理システムにアップロードし、ネットワーク管理システムにより位置情報を調べて、インタフェースにより位置情報を出力する。
【００５１】
位置情報に基づいて装置位置情報データベースを作成し、装置位置情報データベースは位置情報に基づいて該基地局の全部の装置の位置情報を検索することに用いられ、
各RRU30がフィードバックしたクロック情報とRRU30が使用するGPS受信モジュールの規格に基づいて、GPS検索データベースを作成し、GPS検索データベースは、RRU30が使用するGPS受信モジュールの規格とRRU30がフィードバックしたクロック情報に基づいて、GPS受信モジュールの性能を判断することに用いられる。
【００５２】
上記のように、本発明の実施例の技術的手段により、関連技術においてGPS信号の取得方式に存在する雷防護能力が悪く、干渉を受けやすく、RRUの位置決め不能、アンテナの取付位置が遠すぎてはいけない等の問題を解決し、GPS信号を便利に取得することができ、取付工程を簡単化し、マテリアルのコストを低減し、存在する可能性があるシステムの故障点の数量を減少する。
【００５３】
当業者は本発明の精神と範囲を逸脱しない場合、本発明に対して各種の変更と変形を行うことができる。このように、本発明のこれらの変更と変形が本発明の請求項及びその等同技術の範囲内に属すれば、本発明もこれらの変更と変形を含む意図がある。
【００５４】
当業者が理解できるように、上記実施例の全部又は一部のステップはコンピュータプログラムフローにより実現されることができ、前記コンピュータプログラムはコンピュータ読み取り可能な記憶媒体に記憶されることができ、前記コンピュータプログラムは対応するハードウェアプラットフォーム（例えば、システム、設備、装置、デバイス等）において実行され、実行される時、方法の実施例のステップの1つ又はその組合せを含む。
【００５５】
選択的に、上記実施例の全部又は一部のステップは集積回路により実現されることもでき、これらのステップはそれぞれ各集積回路モジュールに製作されてもよく、又はそれらのうちの複数のモジュール又はステップを単一の集積回路モジュールに製作して実現してもよい。このように、本発明はいずれの特定形式のハードウェアとソフトウェアの組み合わせに限定されたものではない。
【００５６】
上記実施例における各装置/機能モジュール/機能ユニットは汎用のコンピュータ装置により実現されることができ、それらは単一のコンピュータ装置に集中してもよく、複数のコンピュータ装置からなるネットワークに分布してもよい。
【００５７】
上記実施例における各装置/機能モジュール/機能ユニットは、ソフトウェア機能モジュールの形式で実現され且つ独立の製品として販売され又は使用される場合、コンピュータ読み取り可能な記憶媒体に記憶されることができる。上記コンピュータ読み取り可能な記憶媒体は読み出し専用メモリ、ディスク又は光ディスク等であってもよい。
【００５８】
いかなる当業者が本発明の開示した技術範囲内において容易に想到し得る変化又は置き換えは、いずれも本発明の保護範囲内に含まれるべきである。従って、本発明の保護範囲は請求項に記載の保護範囲を基準とするべきである。
【産業上の利用可能性】
【００５９】
本発明の実施例により、GPS信号を便利に取得することができ、取付工程を簡単化し、マテリアルのコストを低減し、存在する可能性があるシステムの故障点の数量を減少する。
【図１】
0006431176.tif 000002
【図２】
0006431176.tif 000003
【図３】
0006431176.tif 000004